(57)【特許請求の範囲】
【請求項１】
車両の左右両輪のブレーキとスピードの複合試験をすべく設け、それぞれが伝動源に結合するブレーキローラと該ローラに伝動結合するスピードローラとからなる左右併設測定部で構成され、ブレーキ測定時には左右スピードローラ間を分離状態とし、スピードメータ測定時には一方回転クラッチを介してそれぞれが独立回転状態可能とした４個のローラの内、スピードローラのみは左右結合状態に置く切り替えクラッチにおいて、
一方のスピードローラに連結する従動側の内歯歯付きドラムと、他方のスピードローラに連結するとともに前記内歯歯付きドラム内の同一軸芯上に挿入された駆動側連結体とを設け、該連結体に前記従動側内歯歯付きドラムの歯溝に嵌合すべく遠心力により法線方向に突出嵌合して、回転力を伝達するスライド継手を前記連結体の径方向外側に向けて二つ設け、該二つのスライド継手はスプリングによって前記連結体の中心に向けて収納されるとともにリンク機構によって両スライド継手は同期摺動運動するように構成され、前記駆動側連結体が低速回転から高速回転への移行に伴って前記スライド継手は従動側の前記内歯歯付きドラムの歯溝に嵌合し、高速回転から低速回転への移行に伴って前記スプリング力によって前記嵌合が分離するように構成されることを特徴とするブレーキとスピードの複合試験装置の切り替えクラッチ。
【発明の詳細な説明】
【０００１】
【発明の属する技術分野】
本発明は、車両の左右両輪のブレーキとスピード試験をすべく設けた、ブレーキとスピードメータの複合試験装置の切り替えクラッチに関する。
【０００２】
【従来の技術】
車両の左右両輪のブレーキとスピード試験をすべく設けた、スピードローラとブレーキローラとを左右対称的に設けた左右併設試験装置のそれぞれのスピードローラの左右の間を分離ないし結合するクラッチには、従来よりマグネチッククラッチが使用されている。
【０００３】
車両のブレーキテストとスピードメータテストに使用される複合試験装置は、図４の平面図に示すように、２本の同軸上に設けたスピードメータ測定用の前ローラ５１ａ、５１ｂと、前ローラに対し適当間隔をあけてブレーキ測定用後ローラ５２ａ、５２ｂを平行に配設して左右二組の測定装置を対称的に構成している。
上記前ローラ５１ａ、５１ｂの両者は電磁クラッチ５３で接離可能に結合され、モータ６０ａ、６０ｂよりの駆動力は、Ｖベルト５８ａ、５８ｂ及び減速機５７ａ、５７ｂに伝達され、伝達された駆動力は減速機５７ａ、５７ｂの出力側に設けた一方回転クラッチ５５ａ、５５ｂを経由して、後ローラ５２ａ、５２ｂを直接駆動させるとともに、チェーン伝動５４ａ、５４ｂを介して前ローラ５１ａ、５１ｂに伝達される構成にしてある。
【０００４】
上記構造のもとに、車両のブレーキとスピード試験時には、車両を左右測定装置上に侵入させ、左右の車輪５６ａ、５６ｂをそれぞれ左右の試験装置の前ローラ５１ａ、５１ｂと後ローラ５２ａ、５２ｂ上に載置させる。
そして、ブレーキテストの場合は、前記電磁クラッチ５３を解放して前ローラ５１ａと５１ｂとの間の結合を解除分離状態に置いたのち、モータ６０ａ、６０ｂを駆動させ、減速機５７ａ、５７ｂと一方回転クラッチ５５ａ、５５ｂを介して後ローラ５２ａ、５２ｂを低速で回転させるとともに、チェーン伝動５４ａ、５４ｂを介して前ローラ５１ａ、５１ｂを個別に回転させる。そして車両にブレーキを掛け左右の車輪５６ａ、５６ｂのブレーキトルクを前記減速機５７ａ、５７ｂのアーム６１ａ、６１ｂの先端に設けたトルクセンサ６２ａ、６２ｂにより左右それぞれのブレーキテストをするようにしてある。
【０００５】
また、スピードメータテストの場合は、前記電磁クラッチ５３を介して前ローラ５１ａ、５１ｂを結合状態に置き、その状態で車両を運転させ車輪５６ａ、５６ｂを駆動させる。この場合前記一方回転クラッチにより左右の前ローラ５１ａと５１ｂ、後ローラ５２ａ、５２ｂは前記一方回転クラッチ５５ａ、５５ｂによりモータ６０ａ、６０ｂを含む減速機５７ａ、５７ｂ側には回転及び駆動力は伝達されない。
その状態で前記したように電磁クラッチ５３により両者を連携一体とさせる。そして一体状で回転する前ローラ５１ａ、５１ｂの回転数をタコメータ６３により計測し車両のスピードメータテストを行なうようにしてある。
【０００６】
【発明が解決しようとする課題】
ところで、上記従来のブレーキとスピードメータの複合試験装置において、ブレーキテストよりスピードメータテストへの移行時の切り替えに使用する電磁クラッチは、カップリングと電磁クラッチと駆動用直流電源を必要とし、省力化による競争力の向上を要求される時代傾向から見てもコスト低減上の何らかの対策が要求されている。
ところで、本複合試験装置は設置場所としてガソリンスタンド等の防爆対策を必要とする箇所に選定するときは、特にその設置場所をその観点に置いた場合、試験装置の持つ機能性から、ガソリンスタンドの床面下部の凹部に取り付ける必要があり、着火性ガスの貯留充満する最も危険な場所に設ける必要がある。そのため、当然労働安全衛生規則の「可燃性ガスや可燃性液体の蒸気または可燃性爆発性粉塵の存在するところでは、防爆器具や防爆工事を行なわなければならない」規定の適用を受けることになり、装置自体も安全増し防爆構造の適用を受け、防爆工事は安全増し防爆工事の適用を受け、構造上または温度上昇について安全度を増加したものにし、全体を気密性函体に収容する必要があり、コスト高に繋がる問題がある。また、設置場所にも制限を受ける問題がある。
【０００７】
本発明は、上記課題解決のためになされたもので、
車両の性能検査、計測等において使用され、空転トルクが零でスリップが無く、低コストの純機械的防爆構造の、ブレーキとスピードメータの複合試験装置のクラッチの提供を目的としたものである。
【０００８】
【課題を解決するための手段】
そこで、本発明のブレーキとスピードメータの複合試験装置用切り替えクラッチは、
車両の左右両輪のブレーキとスピードの複合試験をすべく設け、それぞれが伝動源に結合するブレーキローラと該ローラに伝動結合するスピードローラとからなる左右併設測定部で構成され、ブレーキ測定時には左右スピードローラ間を分離状態とし、スピードメータ測定時には一方回転クラッチを介してそれぞれが独立回転状態可能とした４個のローラの内、スピードローラのみは左右結合状態に置く切り替えクラッチにおいて、一方のスピードローラに連結する従動側の内歯歯付きドラムと、他方のスピードローラに連結するとともに前記内歯歯付きドラム内の同一軸芯上に挿入された駆動側連結体とを設け、該連結体に前記従動側内歯歯付きドラムの歯溝に嵌合すべく遠心力により法線方向に突出嵌合して、回転力を伝達するスライド継手を前記連結体の径方向外側に向けて二つ設け、該二つのスライド継手はスプリングによって前記連結体の中心に向けて収納されるとともにリンク機構によって両スライド継手は同期摺動運動するように構成され、前記駆動側連結体が低速回転から高速回転への移行に伴って前記スライド継手は従動側の前記内歯歯付きドラムの歯溝に嵌合し、高速回転から低速回転への移行に伴って前記スプリング力によって前記嵌合が分離するように構成されることを特徴とする。
【０００９】
【００１０】
【００１１】
【００１２】
上記発明の構成は、
従動側内歯歯付ドラムに対し、予め該従動側ドラム内の同一軸芯上に挿入させた駆動側連結体を設け、該連結体に回転遠心力により軸芯位置より法線方向に突出させて、前記従動側歯付ドラムの歯の溝に嵌合して回転力を駆動側より従動側へ伝達するスライド継手を設けたもので、
低速回転時には、上記スライド継手に与える回転遠心力は小さく、且つ予め弾性部材で法線方向への突出を防止してあるので、従動側と駆動側は結合されず分離状態に置かれるが、低速より高速運転への移行時には回転遠心力が大となり、弾性体等による付勢力に打ち勝って前記スライド継手を同期摺動運動によって同時に突出させ従動側歯付きドラムの内歯に嵌合させ、両者を結合状態に移行させるようにしてある。
【００１３】
なお、請求項１の発明におけるクラッチの結合は、車両側の運転により左右の前のローラは略同一速度で低速（略７〜１０ｒｐｍ）より高速  （略低速の３０〜４０倍）に移動する過程で行なわれるわけであるため、移行時には大きな遠心力を生ずるもので、本発明はこの移行時に発生する過大な回転遠心力を利用したものである。
【００１４】
また、従動側及び駆動側には、機械的転がり部が介在しなく空転トルクは零であるため、左右が分離した軸のトルク計測には好適で、また左右が結合接続状態にある時は従来の摩擦クラッチやマグネット方式に比較しスリップは皆無であるため、高トルクに対応したノンスリップ型のため、計測機器や精密産業機器にも使用できる。
【００１５】
【発明の実施の形態】
以下、本発明を図に示した実施例を用いて詳細に説明する。但し、この実施例に記載される構成部品の寸法、材質、形状、その相対配置などは特に特定的な記載が無い限り、この発明の範囲をそれのみに限定する趣旨ではなく単なる説明例に過ぎない。
図１は本発明のブレーキとスピードメータの複合試験装置の切り替えクラッチの参考例の構成を示す断面図で、（Ａ）は分離状態にあるときの従動側と駆動側の状況を示す図で、（Ｂ）は結合状態にあるときの従動側と駆動側の状況を示す図である。図２は本発明に係る一実施例の構成を示す図で、（Ａ）は概略の構成を示す断面図で、（Ｂ）は従動側歯付きドラムを示す（Ａ）のＢ視図で、（Ｃ）は低速運転時の駆動側連結体の状況を示す（Ａ）のＣ視図で、（Ｄ）は高速運転時の駆動側連結体の状況を示す（Ａ）のＣ視図であり、図３は図２の分解斜視図である。
【００１６】
図１に示すように、参考例のクラッチは、従動側歯付きドラム１５と駆動側摺動歯付きドラム１０とより噛み合い結合機構を形成させたもので、従動側歯付きドラム１５は躯体１５ｂとドラム外周端面に設けた環状歯付き部１５ａとより構成し、駆動側摺動歯付きドラム１０は、先端にスライドガイド１１ａを持つ躯体１１と、複数の遠心カム１４を持つ駆動側躯体１１と、該躯体に軸方向に摺動自在に設けられた摺動歯付き部１２と、復帰用のスプリング１３とより構成する。
上記摺動歯付き部１２は内側に前記スライドガイド１１ａに係合する摺動部１２ａを設け復帰用のスプリング１３の矢印Ｃ方向の付勢力に抗して軸方向に摺動自在の構成とし、その先端の外周端面に環状歯付き部１２ｂを設け結合時には従動側の環状歯付き部１５ａに噛み合うようにしてある。
【００１７】
遠心カム１４は固定枠部１１ｃに起伏自在に設けたリンク１４ｃと回動重錘１４ａと偏心コロ１４ｂよりなり、図の（Ｂ）に示すように、駆動側躯体１１が低速回転より高速回転に移行すると、重錘１４ａの回転遠心力により該重錘を先端に持つリンク１４ｃは基部を中心にして矢印Ａ方向の回動力を受け、基部に設けた偏心コロ１４ｂにより、摺動歯付き部１２を矢印Ｂ方向に摺動させ、その先端端面に設けた環状歯付き部１２ｂを従動側の環状歯付き部１５ａに当接嵌合させ、形成された噛み合わせ結合により従動側と駆動側を結合状態にする。
そして結合状態にある駆動側躯体１１と従動側の躯体１５ｂが高速運転より低速運転状態に移行すると、遠心カム１４の回動重錘１４ａの回転遠心力が下降するため、旧位置に復帰し摺動歯付き部１２はスプリング１３により矢印Ｃ方向に摺動し前記摺動歯付き部１２の環状歯付き部１２ｂは噛み合わせ状態にある従動側の環状歯付き部１５ａより解離して駆動側躯体１１と従動側躯体１５ｂとの間の結合は解かれ分離状態になる。
【００１８】
図２には本発明のクラッチの一実施例の概略の構成が示してある。図に見るように、従動側歯付きドラム２１を持つ従動側躯体２０と、前記歯付きドラム２１内の同一軸芯上に回転自在に設けた連結体２３を持つ駆動側躯体２６とよりなり、従動側歯付きドラムと駆動側の連結体との間に回転遠心力による嵌合状態を形成して、従動側躯体２０と駆動側躯体２６との間に結合状態を形成する構成とする。
上記従動側歯付きドラム２１は図の（Ｂ）に示す図（Ａ）のＢ視図に見るように等間隔に設けられた複数の内歯の歯溝２１ａにより形成されている。
また、上記駆動側の連結体２３は図の（Ｃ）（Ｄ）に示す図（Ａ）のＣ視図に見るように、法線方向に設けたスライドガイド２３ａ、２３ａに摺動する基部をスプリング２５で結合されたスライド継手２４ａ、２４ａを収納させ、外側よりリンク機構２４ｂによりその両者を結ぶとともにスプリング２５により駆動側連結体２３の中心に向け収納するとともに、収納した二つのスライド継手に同期作動するようにしてある。
【００１９】
上記本発明のクラッチの組みつけ状況及び概略の構成を図３に示す分解斜視図により説明する。
図に示すように、駆動側の連結体２３の端面に２個の中心に向け対向する法線方向のスライドガイド２３ａ、２３ａを設け、該ガイドに摺動可能のスライド継手２４ａ、２４ａを矢印Ｄ方向に挿入させる。ついでリンク機構２４を挿入したスライド継手２４ａ、２４ａの取り付け穴２７ａ、２７ｂ、２８ａ、２８ｂを介して連結するとともにリンクの中央を取り付け穴２９ａ、２９ｂを介して連結体２３の中心に取り付けて、二つのスライド継手２４ａ、２４ａがリンク機構２４のリンクモーションを介して法線方向に同期摺動運動するようにしてある。
なお、上記摺動運動は、低速運転時より高速運転への移行時には回転遠心力によりスライド継手２４ａ、２４ａを法線方向へ突出摺動させ、高速運転より低速運転への移行時には遠心力の低下と相俟ってスプリング２５の付勢力により連結体中央への復帰運動を形成するものである。
上記摺動運動により、高速移行時に法線方向に同時に突出した二つのスライド継手２４ａ、２４ａは従動側歯付きドラム２１の歯溝２１ａに嵌合して嵌合状態を形成して、従動側躯体２０と駆動側躯体２６との間に結合状態を形成する構成とする。
【００２０】
【発明の効果】
上記構成により、本発明のクラッチ構造は内蔵した転がり機構により動力を伝達する機構を持たないため、空転トルクは零のため、左右に分離した軸のトルク計測には最適で、また他の形式のクラッチに見るように伝達部にスリップの発生が無く、「高トルク」に対応した「ノンスリップ型」のためあらゆる計測機器や精密産業機器に活用でき、また伝達部に熱の発生を伴わない純機械的構造であるため、ガソリンスタンド等の防爆設備に適用でき、低コスト試験装置を提供できる。
【図面の簡単な説明】
【図１】  本発明のブレーキとスピードメータの複合試験装置の切り替えクラッチの参考例の構成を示す断面図で、（Ａ）は分離状態にあるときの従動側と駆動側の状況を示す図で、（Ｂ）は結合状態にあるときの従動側と駆動側の状況を示す図である。
【図２】  本発明に係る一実施例の構成を示す図で、（Ａ）は概略の構成を示す断面図で、（Ｂ）は従動側歯付きドラムを示す（Ａ）のＢ視図で、（Ｃ）は低速運転時の駆動側連結体の状況を示す（Ａ）のＣ視図で、（Ｄ）は高速運転時の駆動側連結体の状況を示す（Ａ）のＣ視図である。
【図３】  図２の分解斜視図である。
【図４】  一般に使用されているブレーキとスピードメータの複合試験装置の概略の構成を示す図である。
【符号の説明】
１０    駆動側歯付きドラム
１１、１５ｂ    躯体
１１ａ  スライドガイド
１２    摺動歯付き部
１２ａ  摺動部
１２ｂ  環状歯付き部
１３、２５    スプリング
１４    遠心カム
１４ａ  回動重錘
１４ｂ  偏心コロ
１４ｃ  リンク
１５    従動側歯付きドラム
１５ａ  環状歯付き部
２０    従動側躯体
２１    従動側歯付きドラム
２１ａ  歯溝
２３    連結体
２３ａ  スライドガイド
２４ａ  スライド継手
２４    リンク機構
２６    駆動側躯体
【図１】
0004204696.tif 000002
【図２】
0004204696.tif 000003
【図３】
0004204696.tif 000004
【図４】
0004204696.tif 000005